(57)【特許請求の範囲】
【請求項１】
第二のデバイスと無線の指向性の通信を行う第一のデバイスを有する装置であって、該無線の指向性の通信は：
第三のデバイスからネットワークの予約を検出することに応じてNAV（network  allocation  vector）をセットし；
前記NAVにより示される期間に前記第二のデバイスからRTS（request-to-send）を受信し；
前記第二のデバイスに対して前記NAVの満了前にDTS（denial-to-send）を送信するか、あるいは前記NAVの満了後にD-CTS（遅延clear-to-send）を送信し；
前記NAVの満了後に前記第二のデバイスと通信を実行し、該通信は、前記送信の後に前記第二のデバイスからの前記RTSにより示された期間に実行される；
装置。
【請求項２】
前記送信はDTSの送信を含み、
前記第一のデバイスは、前記NAVの満了後に前記第二のデバイスから第二のRTSを受信し、該第二のRTSの受信後であって、かつ前記通信の実行前にCTS（clear-to-send）を送信する、
請求項１に記載の装置。
【請求項３】
前記DTSは前記NAVの残り時間を示すフレーム制御メッセージを有する、
請求項１に記載の装置。
【請求項４】
前記ネットワークの予約は、前記第三のデバイスにより送信され、かつ前記第一のデバイスに宛てられていないRTS又はCTSを有する、
請求項１に記載の装置。
【請求項５】
少なくとも一つのアンテナ
をさらに有する、請求項１に記載の装置。
【請求項６】
第一のデバイスで処理を実行することにより第二のデバイスと無線で通信する段階を有する方法であって、該処理は：
第三のデバイスからのRTS（request-to-send）の検出又は該第三のデバイスからのCTS（clear-to-send）の検出に応じてNAV（network  allocation  vector）をセットする段階と；
前記NAVにより示される期間に前記第二のデバイスからRTS（request-to-send）を受信する段階と；
前記第二のデバイスに対して前記NAVの満了前に前記RTSの受信に応じてDTS（denial-to-send）を送信する段階と；
前記NAVの満了後に前記第二のデバイスと通信を行う段階と；
を有し、
前記受信する段階と、前記送信する段階と、前記通信を行う段階はそれぞれ指向性のリンクを用いることを含む、
方法。
【請求項７】
第二のRTSを前記第二のデバイスから前記NAVの満了後に受信する段階と；
CTS（clear-to-send）を前記第二のRTSの受信後であって、かつ前記通信を行う段階の前に送信する段階と；
をさらに有する、請求項６に記載の方法。
【請求項８】
前記DTSは、前記NAVの残り時間を示す期間フィールドを有する、
請求項６に記載の方法。
【請求項９】
第三のデバイスからのRTS（request-to-send）の検出又は該第三のデバイスからのCTS（clear-to-send）の検出に応じてNAV（network  allocation  vector）をセットする段階と；
前記NAVにより示される期間に第二のデバイスからRTS（request-to-send）を受信する段階と；
前記第二のデバイスに対して前記NAVの満了前にDTS（denial-to-send）を送信する段階と；
前記NAVの満了後に前記第二のデバイスと通信を行う段階と；
を有する処理であって、
前記受信する段階と、前記送信する段階と、前記通信を行う段階はそれぞれ指向性のリンクを通じて行われる、処理
をコンピュータに実行させるプログラムを記録した、コンピュータ読み取り可能な記録媒体。
【請求項１０】
前記処理は、
第二のRTSを前記第二のデバイスから前記NAVの満了後に受信する段階と；
CTS（clear-to-send）を前記第二のRTSの受信後であって、かつ前記通信を行う段階の前に送信する段階と；
をさらに有する、請求項９に記載のコンピュータ読み取り可能な記録媒体。
【請求項１１】
前記DTSは、前記NAVの残り時間を示すフレーム制御メッセージを有する、
請求項９に記載のコンピュータ読み取り可能な記録媒体。
【請求項１２】
無線機、プロセッサ及びメモリを有する第一のデバイスであって、第二のデバイスと指向性のリンクを通じて無線の指向性の通信を行う、第一のデバイスを有する装置であって、該無線の指向性の通信は：
RTS（request-to-send）を前記第二のデバイスへ送信し；
DTS（denial-to-send）を前記第二のデバイスから受信し、該DTSは該第二のデバイスでセットされたNAV（network  allocation  vector）の残り時間を示す期間の値を含み；
前記NAVの満了後にのみ前記第二のデバイスと後続の通信を行う；
装置。
【請求項１３】
少なくとも一つのアンテナ
をさらに有する、請求項１２に記載の装置。
【請求項１４】
第一のデバイスで処理を実行することにより第二のデバイスと無線で通信する段階を有する方法であって、該通信は：
RTS（request-to-send）を前記第二のデバイスへ送信する段階と；
DTS（denial-to-send）を前記第二のデバイスから受信する段階と；
前記DTSの中で示された期間の満了後にのみ前記第二のデバイスと後続の通信を行う段階と；
を有し、
前記送信する段階と、前記受信する段階と、前記通信を行う段階はそれぞれ指向性のリンクを用いることを含む、方法。
【請求項１５】
第二のRTSを前記第二のデバイスへ前記期間の満了後に送信する段階と；
前記第二のデバイスからのCTS（clear-to-send）を前記第二のRTSの送信後であって、かつ前記後続の通信を行う段階の前に受信する段階と；
をさらに有する、請求項１４に記載の方法。
【請求項１６】
前記DTSはフレーム制御メッセージを有する、
請求項１４に記載の方法。
【請求項１７】
RTS（request-to-send）を無線通信装置に送信する段階と；
DTS（denial-to-send）を前記無線通信装置から受信する段階と；
前記DTSの中で示された期間の満了後にのみ前記無線通信装置と後続の通信を行う段階と；
をコンピュータに実行させるプログラムを記録した、コンピュータ読み取り可能な記録媒体。
【請求項１８】
前記プログラムは：
第二のRTSを前記無線通信装置へ前記期間の満了後に送信する段階と；
CTS（clear-to-send）を前記無線通信装置から前記第二のRTSを送信した後に受信する段階と；
をコンピュータにさらに実行させる、請求項１７に記載のコンピュータ読み取り可能な記録媒体。
【請求項１９】
前記DTSはフレーム制御メッセージを含む、
請求項１７に記載のコンピュータ読み取り可能な記録媒体。
【請求項２０】
前記DTSは、フレーム制御フィールド、期間フィールド、RAフィールド、NAV-SAフィールド、NAV-DAフィールド及びFCSフィールドを含む、
請求項１に記載の装置。
【請求項２１】
前記DTSは、フレーム制御フィールド、期間フィールド、RAフィールド、NAV-SAフィールド、NAV-DAフィールド及びFCSフィールドを含む、
請求項６に記載の方法。
【請求項２２】
前記DTSは、フレーム制御フィールド、期間フィールド、RAフィールド、NAV-SAフィールド、NAV-DAフィールド及びFCSフィールドを含む、
請求項９に記載のコンピュータ読み取り可能な記録媒体。
【請求項２３】
前記DTSは、フレーム制御フィールド、期間フィールド、RAフィールド、NAV-SAフィールド、NAV-DAフィールド及びFCSフィールドを含む、
請求項１２に記載の装置。
【請求項２４】
前記DTSは、フレーム制御フィールド、期間フィールド、RAフィールド、NAV-SAフィールド、NAV-DAフィールド及びFCSフィールドを含む、
請求項１４に記載の方法。
【請求項２５】
前記DTSは、フレーム制御フィールド、期間フィールド、RAフィールド、NAV-SAフィールド、NAV-DAフィールド及びFCSフィールドを含む、
請求項１７に記載のコンピュータ読み取り可能な記録媒体。
【発明の詳細な説明】
【技術分野】
【０００１】
本発明は、指向性の無線ネットワークにおいて遅延CLEAR-TO-SENDとDENIAL-TO-SENDを使用する装置、方法及び物品に関する。
【背景技術】
【０００２】
WiFi無線ネットワークで用いられる一般的なRequest-to-Send/Clear-to-Send（RTS/CTS）のメカニズムは、隠れ端末問題の緩和や、二つのデバイス間での後続のデータ交換の保護の確立を含む、多くの利益をもたらす。近年、同様のRTS/CTSの交換が、指向性の通信によって特徴付けられるミリ（mm）波（例えば、60GHz）通信のために提案されている。
【発明の概要】
【発明が解決しようとする課題】
【０００３】
しかしながら、送信と受信とが指向性を有することにより、標準的なRTS/CTSのプロトコルでは解決できない新たな種類の隠れ端末問題が発生している。例えば、第一のデバイスが、第二のデバイスとの指向性のリンクを、関係のない第三のデバイスを囲む方向に確立し、その第三のデバイスからRTSを検出した場合に、第一のデバイスは、NAV（Network  Allocation  Vector）を設定すべきことを知り、そのRTSで特定された期間には送信を行わない。しかしながら、その指向性により、第一のデバイスがそのRTSを検出したものの、第二のデバイスがそのRTSを検出していないような場合においては、第二のデバイスは自らのRTSを第三のデバイスに送信することができるが、第一のデバイスは最初のRTSにより設定された自らのNAVのために、CTSを送り返すことができない。第二のデバイスは、期待されるCTSを受信しない場合には、RTSを数回繰り返したり、指向性のリンクが失われていない場合には、時間を浪費し、かつ不要なビームフォーミングを開始したりする等の不要な是正措置を開始する可能性がある。
【課題を解決するための手段】
【０００４】
上述した課題を解決するため、本発明にかかる装置は、第二のデバイスと無線の指向性の通信を行う第一のデバイスを有する装置であって、該無線の指向性の通信は：第三のデバイスからネットワークの予約を検出することに応じてNAV（network  allocation  vector）をセットし；前記NAVにより示される期間に前記第二のデバイスからRTS（request-to-send）を受信し；前記第二のデバイスに対して前記NAVの満了前にDTS（denial-to-send）を送信するか、あるいは前記NAVの満了後にD-CTS（遅延clear-to-send）を送信し；前記NAVの満了後に前記第二のデバイスと通信を実行し、該通信は、前記送信の後に前記第二のデバイスからの前記RTSにより示された期間に実行される。
【０００５】
また、本発明にかかる方法は、第一のデバイスで処理を実行することにより第二のデバイスと無線で通信する段階を有する方法であって、該処理は：第三のデバイスからのRTS（request-to-send）の検出又は該第三のデバイスからのCTS（clear-to-send）の検出に応じてNAV（network  allocation  vector）をセットする段階と；前記NAVにより示される期間に前記第二のデバイスからRTS（request-to-send）を受信する段階と；前記第二のデバイスに対して前記NAVの満了前にDTS（denial-to-send）を送信する段階と；前記NAVの満了後に前記第二のデバイスと通信を行う段階と；を有し、前記受信する段階と、前記送信する段階と、前記通信を行う段階はそれぞれ指向性のリンクを用いることを含む。
【０００６】
また、本発明にかかる物品は、一つ以上のプロセッサにより実行される場合に：第三のデバイスからのRTS（request-to-send）の検出又は該第三のデバイスからのCTS（clear-to-send）の検出に応じてNAV（network  allocation  vector）をセットする段階と；前記NAVにより示される期間に前記第二のデバイスからRTS（request-to-send）を受信する段階と；前記第二のデバイスに対して前記NAVの満了前にDTS（denial-to-send）を送信する段階と；前記NAVの満了後に前記第二のデバイスと通信を行う段階と；を有する処理であって、前記受信する段階と、前記送信する段階と、前記通信を行う段階はそれぞれ指向性のリンクを通じて行われる、処理を実行する命令を含むコンピュータ読み取り可能な記録媒体を有する。
【０００７】
本発明のいくつかの実施形態は、以下の詳細な説明及び本発明の実施形態を説明するために用いられる添付図面への参照により理解することができる。
【図面の簡単な説明】
【０００８】
【図１】本発明の一実施形態による、指向性のリンクを使用する二組の無線通信デバイス。
【図２】本発明の一実施形態による、遅延clear-to-sendを用いたやりとりのタイミングチャート。
【図３】本発明の一実施形態による、denial-to-sendを用いたやりとりのタイミングチャート。
【図４】本発明の一実施形態による、遅延clear-to-sendのフォーマットを表す図。
【図５】本発明の一実施形態による、denial-to-sendのフォーマットを表す図。
【図６】本発明の一実施形態による二つの無線通信デバイスを表す図。
【発明を実施するための形態】
【０００９】
以下の説明において、多数の固有の詳細な説明がなされる。しかしながら、本発明の実施形態は、これらの固有の詳細がなくとも実施されることができることが理解される。他の例では、既知の回路、構造及び技術は、この発明の理解を曖昧にしないよう、詳細については説明されていない。
【００１０】
「一つの実施形態」、「ある実施形態」、「例示的な実施形態」、「いくつかの実施形態」等の記載は、そのように記載される発明の単一又は複数の実施形態が、固有の特徴、構造又は特性を含み得るが、全ての実施形態が必ずしもその固有の特徴、構造又は特性を含む必要はない。さらに、いくつかの実施形態は、他の実施形態について記載されるいくつかの特徴又はすべての特徴を含むことがあり、あるいは全く含まないことがある。
【００１１】
以下の詳細な説明及びクレームにおいて、「結合された（coupled）」及び「接続された（connected）」の語が、それらの派生語と共に用いられ得る。これらの語は、互いに同義語であることが意図されていないことが理解されるべきである。それどころか、特定の実施形態において、「接続された（connected）」の語は、二つ以上の要素が、互いに物理的あるいは電気的に直接接触することを示すために用いられる。「結合された（coupled）」の語は、二つ以上の要素が、互いに協働し、あるいは相互作用することを示すために用いられるが、それらが直接物理的あるいは電気的な接触を有するかどうかは問わない。
【００１２】
クレームの中で用いられるように、共通の要素を記載するための序数の形容詞である「第一／第一の」、「第二／第二の」、「第三／第三の」等の使用は、別段の指定がない限り、同様の要素の異なる実例を指すことを単に示すに過ぎず、そのように記載される要素が、時間的若しくは空間的な順位付け又は他のあらゆる方法において、与えられた順序であると暗示するものではない。
【００１３】
本発明の様々な実施形態は、ハードウェアと、ファームウェアと、ソフトウェアとのある組み合わせ又はあらゆる組み合わせで実装されることができる。本発明は、コンピュータ読み取り可能な記録媒体の中、あるいは該媒体の上に含まれる命令として実装されることもできる。該命令は、ここで説明される動作の実行を可能にするために、一つ以上のプロセッサによって読み出されて実行されることができる。コンピュータ読み取り可能な記録媒体は、一つ以上のコンピュータにより読み取り可能な形式で情報を保管するためのあらゆる方式を有し得る。例えば、コンピュータ読み取り可能な記録媒体は、ROM（read  only  memory）、RAM（random  access  memory）、磁気ディスク記憶装置等を含み得るが、これに限定されない。
【００１４】
「無線」の語は、変調された電磁放射線を用いることにより、非固体の媒体を通じてデータをやりとりする、回路、デバイス、システム、方法、技術、通信チャネル等を説明するために用いられ得る。その語は、関連するデバイスがあらゆる配線を含まないことを暗示するものではない。しかし、いくつかの実施形態においては、有線を含まないことがある。無線装置は、少なくとも一つのアンテナと、少なくとも一つの無線機と、少なくとも一つのプロセッサと、少なくとも一つのメモリとを有することができる。ここで、該無線機は、アンテナを通じてデータを表す信号を送信し、アンテナを通じてデータを表す信号を受信する。同時に、該プロセッサは、送信されるべきデータと受信されたデータとを処理することができる。プロセッサは、送信されるものでも受信されたものでもない、他のデータも処理することができる。この文書内において、便宜上、各無線通信装置はSTAのラベルが付される。しかし、本発明のいくつかの実施形態は、このラベルで識別される装置に限定されない。移動局に対して、DEVのような他の共通の語が用いられ得るが、これに限定されない。それでも、これらの語は本発明の実施形態の範囲内に含まれる。
【００１５】
この文書における指向性の送信とは、対象とする周波数帯の中で、送信信号が、ある方向において相対的に強く、他の方向において相対的に弱いことを意味する。指向性の受信とは、対象とする周波数帯の中で、受信装置が、ある方向からの信号を、他の方向からの同じ強度の信号を受信するよりも容易に受信できることを意味する。指向性の通信は、指向性の送信と指向性の受信の両方を含む。指向性のリンクは、二つのデバイスが互いに通信して、指向性の送信と指向性の受信のためのパラメータを確立していることを意味する。
【００１６】
この文書における「Network  Allocation  Vector」（NAV）とは、一つのメッセージの中で示される、指定時間に満了する期間である。「NAVをセットする」とは、そのNAVの終わりに満了する期間を測定するためにタイマをセットすることを意味する。「NAVの満了」とは、そのタイマにより示される期間の満了を意味する。
【００１７】
図１は、本発明の一実施形態による、指向性のリンクを用いる二組の無線通信装置を示す。図示される実施形態において、STA  AとSTA  Bは、互いに指向性のリンクL1を既に確立しているものし、STA  CとSTA  Dは、互いに指向性のリンクL2を既に確立しているものとする。同時に、各STAの送信と受信とは、矢印の方向に集中する。さらに、これらのSTAの物理的な配置は、STA  Aからの指向性の送信がSTA  CとSTA  Dに到達し、STA  Dはこの送信を受信することができる（STA  Dの受信機がSTA  Aの方向を向いているため）が、STA  Cはこの送信を受信することができない（STA  Cの受信機がSTA  Aの方向を向いていないため）ものとする。
【００１８】
例示的な動作において、STA  Aは、RTSをSTA  Bへ送信し、STA  BはCTSをSTA  Aへ送信することにより応答する。しかしながら、それぞれの位置と指向性のために、STA  DもRTSを検出し得る。STA  AからのRTSはSTA  D宛てでないため、STA  DはSTA  AからのRTSの中で指定される期間のNAVをセットし、その時間の間は送信を停止する。（注：いくつかのプロトコルでは、RTSとCTSの両方が、NAV期間における残り時間を示す情報を含む。そのような例において、STD  Dは、STA  AからのRTSか又はCTSを受信した場合に、NAVをセットする。そのNAVは、どちらにしても同じ時間に満了する。）その後間もなく、STA  CはRTSをSTA  Dへ送信し得る（STA  CはSTA  AからのRTSを検出していなかったので、NAVについて認識していない）。リンクL1の干渉が存在しなければ、STA  Dは、通常、すぐにCTSをSTA  Cへ送り返すことによって応答するだろう。しかし、先のSTA  AからのRTSの検出のため、従来の動作の下では、STA  Dは、CTSによりすぐに応答すべきではない。なぜなら、NAVがまだセットされているためである。しかしながら、ここで記載される本発明の実施形態の下では、STA  Dは、二つの応答のいずれかを送信することにより、従来の方法ではない応答をすることが可能である。この文書内では、これらの応答は、時にwwWaveDTSと呼ばれることがあるdenial-to-send（DTS）と、時にmmWaveCTSと呼ばれることがある遅延clear-to-send（D-CTS）とラベル付けされる。DTSの応答は、RTSに応答しているデバイスがNAVをセットしていることを示し、そのNAVがDTSにより示される時間に満了することを示す。一方、D-CTSの中で指定される時間は、デバイスが応答しているRTSにより指定される時間の残り時間を示すことができる。いくつかの実施形態において、D-CTSは、標準のCTSと同じ状況において用いることができる（すなわち、たとえ応答が遅延しない場合であっても）。なぜなら、CTSとD-CTSは共に、すぐに通信を始めるための能力を示すものだからである。
【００１９】
図２は、本発明の一実施形態による遅延clear-to-sendを用いたやりとりのタイミング図を表す。図１に記載されたものと同様のシナリオを用いて、サービス期間1（SP1）の間、STA  AはRTSをSTA  Bへ送信し、STA  Bは、標準のCTSをSTA  Aに送り返すことにより応答し得る。RTSかCTSのいずれか又は両方は、ネットワークの予約を行うものとみなすことができる。なぜなら、このやりとりの目的は、これらの二つのデバイスの間の後続の通信のためのチャネルを予約することであるためである。一度RTS/CTSの交換がなされると、STA  AとSTA  Bは、それらの指向性のリンクL1を通じて互いに通信することができ、SP1の間は、それらの通信が干渉から保護されるとみなすことができる。なぜなら、RTS/CTSを受信したあらゆるデバイスは、その予約について知ることができるためである。
【００２０】
先に述べたように、STA  Dは、STA  AからのRTSの検出に応じて、自らのNAVをセットすることができる。そのNAVは、SP1が満了したときに、満了する。しかしながら、STA  Cは、STA  AからのRTSを検出しなかったので、自らのRTSをSTD  Dへ自由に送信することができる。該RTSは、STA  CとSTA  Dとの間での期待される後続のやり取りの時間であるSP2を示す。しかし、STA  DはCTSを用いてすぐに応答しない。なぜならば、STA  Dは自らのNAVをセットしているためである。STA  Cは、所定の時間待機し、STA  Dからの応答を受信しなかったときには、RTSを再送することができる。この遅延と再送信の処理は、STA  Dが応答しなかった場合に、何回か繰り返され得る。しかし、ほとんどの通信規格は、断念して別のアプローチをとる前に、そのようなリトライの最大回数を規定している。
【００２１】
図２は、リトライの最大回数に達していない例である。STA  DのNAVがSP1の最後で満了した場合に、STA  Dは、SP2に対して規定された時間が満了しておらず、STA  Cとの通信がさらに可能であることを知る。次にSTA  Dは、別のRTSを待つことなくDCTSをSTA  Cに送り返す。STA  CがDCTSを受信した場合に、STA  CとSTA  Dは、SP2の間に所望の通信のやりとりを実行することができる。しかし、そのような通信のためのSP2の残り時間は、NAVによる遅延により減少している。
【００２２】
図２において説明される技術は、本来は予期されない場合の送信により、STA  Dが自らのNAVに違反する必要がない利点を有する。欠点は、STA  Cが、STA  Dの応答しない理由について何ら情報を有さず、期間SP1の満了前に是正措置をとらないようプログラムされていない限りは、不要な是正措置を取る可能性があることである。SP2がSP1の前に満了した場合には、STA  CとSTA  Dとの間での所望の通信を開始するには遅すぎる可能性があり、これらのデバイスは、ここでは説明されない他の動作を取ることができる。
【００２３】
図３は、本発明の一実施形態による、denial-to-sendを用いたやりとりのタイミングチャートを示す。図３の初期の部分は、図２と同様である。すなわち、STA  Dは、STA  AからのRTS（又はCTS）を検出した後に、期間SP1である自らのNAVをセットし、STA  Cは、期間SP2にわたって続く保護された通信を確立することを意図して、期間SP1に自らのRTSをSTA  Dへ送信する。しかしながら、この実施形態においては、STA  Dは待機せず、NAVがまだセットされている間にDTSを送信する。DTSは、STA  CがDTSを受信した場合に、STA  DがDTSの中に規定された時間のNAVをセットしており、STA  Cがその時間が満了するまで、所望の通信のやりとりを開始すべきでないことを知ることができるように構成される。NAVが満了した場合には、STA  CはRTSを再送信することができ、STA  Dは通常の方法によりCTSを用いて応答することができる。したがって、SP2の残りの間に、STA  CとSTA  Dとの間で所望の通信のやりとりをするための道が開かれる。
【００２４】
図３において記載される技術は、STA  Cに、STA  DのNAVの状態について通知する利点を有する。これにより、STA  Cは、再送や他の不要な是正装置に訴えることなく、示された時間待機することができる。欠点は、STA  Dが、自らのNAVをセットされている間に伝送を行う必要がある点である。STA  Dは、STA  BからSTA  Aへの現在の伝送を検知することができないため、この技術は、STA  DのDTSの送信により、STA  BからSTA  Aへの既存の通信に干渉する可能性がある。図２に記載の技術が用いられようと、図３に記載の技術が用いられようと、上記欠点を小さくして除去するために、適切な予防措置をとることができる。
【００２５】
図４は、本発明の一実施形態による遅延clear-to-sendのフォーマットを表す図である。このフォーマットは、特定の名前を有する、特定のサイズの特定のフィールドを表すが、他のフォーマットもまた用いられ得る。説明されるフォーマットは、MAC（medium  access  control）ヘッダの一部であり得る。図４で示される例では、第一のフィールドは、フレームの種類を識別するために用いられるフレーム制御（Frame  Control）フィールドである。これがD-CTSフレームであることは、このフィールドで識別することができる。第二のフィールドは期間（Duration）フィールドである。このフィールドは、このD-CTSが応答するRTSに関連するサービス期間の残り時間を示すために用いることができる。この値は、RTSからの期間の値を取得し、このD-CTSの送信前に経過した時間を引くことにより決定することができる。RAとTAフィールドは、このフレームの受信を意図されるデバイスのネットワークアドレスと、このフレームを送信したデバイスのネットワークアドレスとをそれぞれ表す。FCSフィールドは、フレームチェックシーケンス（Frame  Check  Sequence）フィールドであり、このフレームの内容が正しく受信されたことを検証するために用いられる。いくつかの実施形態において、D-CTSは、ここで示されるいくつかの例又は全ての例において標準的なCTSの代わりに用いられることができ、CTSとD-CTSの語は、同様の機能要素に対して取替え可能であるとみなすことができる。
【００２６】
図５は、本発明の一実施形態によるdenial-to-sendのフォーマットを表す図である。図４のフォーマットと同様に、RAフィールドは、このフレームの受信を意図されるデバイスのアドレスを表すことができ、FCSは、このフレームの内容が正しく受信されたことを検証するために用いられることができる。フレーム制御（Frame  Control）フィールドは、このフレームをDTSフレームであることを特定することができる。期間（Duration）フィールドは、このフレームを送信するデバイスのNAVの残り時間を表すことができる。NAV-SAとNAV-DAフィールドは、発信元のデバイスと宛先のデバイスとをそれぞれ示す。これらのデバイスは、このDTSフレームを送信するデバイスの現在のNAVを確立した、RTSとCTSのやりとりを行ったデバイスである。先の例では、NAV-SAはSTA  Aを表し（元のRTSを送信した）、NAV-DAはSTA  B（CTSを送信することによって応答した）を表す。D-CTSとDTSの中身についての重要な違いの一つは、DTSの期間フィールドは、他のデバイスが要求された通信のやりとりの前にどの程度待機すべきかを示し、同時に、D-CTSの期間フィールドは、他のデバイスが要求された通信のやりとりをどの程度の時間に完了しなければならないかを示すことである。
【００２７】
図６は、本発明の一実施形態による、二つの無線通信装置を表す。二つのデバイスが互いに通信し、STA  CとSTA  Dを表すために用いられ得るが、同様の内部部品が、この文書内で説明された、あらゆる通信装置を説明するために用いられ得る。デバイス６１０は、少なくとも一つのアンテナ６１８を通じて無線で通信するための少なくとも一つの無線機６１２と、情報を処理するための少なくとも一つのプロセッサ６１４及びその処理に用いられるデータと、命令とを保持するための少なくとも一つのメモリとともに示される。同様に、デバイス６５０は、少なくとも一つのアンテナ６５８を通じて無線で通信するための少なくとも一つの無線機６５２と、少なくとも一つのプロセッサ６５４と、少なくとも一つのメモリ６５６とともに示される。これらの項目は、この文書内の他の場所に記載される機能を可能にする、物理的な部品を提供することができる。
【００２８】
先の説明は例示を目的とするものであり、限定を目的とするものではない。当業者はバリエーションを思いつくことができるが、それらは本発明の様々な実施形態に含まれることが意図され、以下のクレームの範囲によってのみ制限される。
【図１】
0005345733.tif 000002
【図２】
0005345733.tif 000003
【図３】
0005345733.tif 000004
【図４】
0005345733.tif 000005
【図５】
0005345733.tif 000006
【図６】
0005345733.tif 000007